【手続補正書】
【提出日】平成27年9月1日(2015.9.1)
【手続補正１】
【補正対象書類名】明細書
【補正対象項目名】０００６
【補正方法】変更
【補正の内容】
【０００６】
本目的は、クレーム１またはクレーム９に記載されているコンバータによって達成され、このコンバータは、クレーム１０に記載されている発電システムの一部でもよい。  
変換のための方法は、方法クレーム１６に記載されている。  
本発明の有利な実施形態は、それぞれの従属クレームに記載されている。
【手続補正２】
【補正対象書類名】明細書
【補正対象項目名】０００７
【補正方法】変更
【補正の内容】
【０００７】
本発明の第１の態様によれば、発電機に各相が割り当てられている複数の相を有する接続された電力網に電力供給するために、誘導的に接続された複数の発電機のＤＣ電力を電力網に準拠したＡＣ電力に変換するためのＤＣ／ＡＣコンバータは、中間回路コンデンサ、ならびに、正および負の中間回路接続部を有する中間回路と、電力網の相ごとのブリッジとを備える。  
各ブリッジは、正の中間回路接続部と相端子との間の切換え可能な接続経路を形成する第１のスイッチと、切換え可能な接続経路を形成し、相に割り当てられた発電機における正の発電機端子と相端子とに接続されている第２のスイッチと、切換え可能な接続経路を形成し、相に割り当てられた発電機における負の発電機端子と相端子とに接続されている第３のスイッチと、負の中間回路接続部と相端子との間の切換え可能な接続経路を形成する第４のスイッチとを備える。  
さらにブリッジは、正の中間回路接続部を、相に割り当てられた発電機における正の発電機端子に接続する第１のダイオードと、負の中間回路接続部を、相に割り当てられた発電機における負の発電機端子に接続する第４のダイオードとを備える。
【手続補正３】
【補正対象書類名】特許請求の範囲
【補正対象項目名】全文
【補正方法】変更
【補正の内容】
【特許請求の範囲】
【請求項１】
対応する発電機（１２０）に各相（Ｌ、Ｌ１、Ｌ２、Ｌ３）が割り当てられている複数の相を有する接続された電力網（７４０）に電力供給するために、誘導的に接続された複数の発電機（１２０）のＤＣ電力を電力網に準拠したＡＣ電力に変換するためのＤＣ／ＡＣコンバータであって、
前記ＤＣ／ＡＣコンバータが、
中間回路コンデンサ（１００、１１０）、ならびに、正および負の中間回路接続部を有する中間回路と、
前記電力網（７４０）における相（Ｌ、Ｌ１、Ｌ２、Ｌ３）ごとのブリッジ（１６０）とを備え、
前記ブリッジ（１６０）が、
前記正の中間回路接続部（１７０）と、対応する相端子（１８０）との間の切換え可能な接続経路を形成する第１のスイッチ（２１１、２３１）と、
切換え可能な接続経路を形成し、前記相に関連する前記発電機（１２０）における正の発電機端子（１５０）と前記相端子（１８０）とに接続されている第２のスイッチ（２１２、２３２）と、
切換え可能な接続経路を形成し、前記相に関連する前記発電機（１２０）における負の発電機端子（１５５）と前記相端子（１８０）とに接続されている第３のスイッチ（２１３、２３３）と、
前記負の中間回路接続部（１７５）と、前記相端子（１８０）との間の切換え可能な接続経路を形成する第４のスイッチ（２１４、２３４）と、
前記正の中間回路接続部（１７０）を、前記相に関連する発電機（１２０）における正の発電機端子（１５０）に接続する第１のダイオード（２２１）と、
前記負の中間回路接続部（１７５）を、前記相に関連する発電機（１２０）における負の発電機端子（１５５）に接続する第４のダイオード（２２４）とを備える
ＤＣ／ＡＣコンバータ。
【請求項２】
前記相の数が１つである
請求項１に記載のコンバータ。
【請求項３】
前記相の数が３つである
請求項１に記載のコンバータ。
【請求項４】
各ブリッジ（１６０）が、前記正の中間回路接続部（１７０）と前記負の中間回路接続部（１７５）とを介して、共通の中間回路としての前記中間回路にそれぞれ接続されている
請求項３に記載のコンバータ。
【請求項５】
前記誘導的に接続された発電機（１２０）の少なくとも１つが、磁気的に相互結合された第１のインダクタンス（１３０）および第２のインダクタンス（１３１）を備え、前記第１のインダクタンス（１３０）が前記正の発電機端子（１５０）に接続され、前記第２のインダクタンス（１３１）が前記負の発電機端子（１５５）に接続されている
先行する請求項のいずれか一項に記載のコンバータ。
【請求項６】
前記発電機（１２０）の少なくとも１つが、逆電流ダイオード（１４０）を介して前記発電機端子（１５０、１５５）の一方に接続されている
先行する請求項のいずれか一項に記載のコンバータ。
【請求項７】
前記正の中間回路接続部（１７０）と前記相端子（１８０）との間の切換え可能な接続経路が前記第２のスイッチ（２１２）を備える
先行する請求項のいずれか一項に記載のコンバータ。
【請求項８】
前記ブリッジ（１６０）の各スイッチにフリーホイールダイオード（２２１、２２２、２２３、２２４）が割り当てられている
先行する請求項のいずれか一項に記載のコンバータ。
【請求項９】
誘導的に接続された複数の発電機（１２０）のそれぞれに各相が対応している複数の相（Ｌ、Ｌ１、Ｌ２、Ｌ３）を有する接続された電力網（７４０）に電力供給するために、前記複数の発電機（１２０）のＤＣ電力を電力網に準拠したＡＣ電力に変換するためのＤＣ／ＡＣコンバータであって、
中間回路コンデンサ（１００、１１０）と、正の中間回路接続部（１７０）と、負の中間回路接続部（１７５）とを有する中間回路と、
複数のスイッチ構成を切り換えるための、前記電力網の相ごとのブリッジ（１６０）であって、前記ブリッジ（１６０）における第１のスイッチ構成において、発電機端子（１５０、１５５）が相互接続され、前記中間回路が前記電力網（７４０）に電力を送り、前記ブリッジ（１６０）における第２のスイッチ構成において、前記発電機（１２０）の電力が前記電力網（７４０）に送られ、前記発電機（１２０）によって提供される電力と前記電力網（７４０）の中を流れる電力との差分が前記中間回路によって埋め合わせられる、ブリッジ（１６０）とを備える
ＤＣ／ＡＣコンバータ。
【請求項１０】
複数の発電機（１２０）が誘導的に接続されている
先行する請求項のいずれか一項に記載のＤＣ／ＡＣコンバータを備える発電プラント。
【請求項１１】
前記発電機（１２０）の少なくとも１つがグランドに接続されている
請求項１０に記載の発電プラント。
【請求項１２】
前記発電機（１２０）の１つが高抵抗でグランドに接続されている
請求項１１に記載の発電プラント。
【請求項１３】
前記発電機（１２０）が、グランド電流モニタ（７００）を介してグランドに接続されている
請求項１１に記載の発電プラント。
【請求項１４】
前記発電機（１２０）のそれぞれがグランドに接続されている
請求項１１から１３のいずれか一項に記載の発電プラント。
【請求項１５】
すべての発電機（１２０）が極において直接相互接続されている
請求項１１から１４のいずれか一項に記載の発電プラント。
【請求項１６】
正の中間回路接続部（１７０）と負の中間回路接続部（１７５）とを有するブリッジ（１６０）によって相端子（１８０）において電力網（７４０）に電力供給するために、正の発電機端子（１５０）と負の発電機端子（１５５）とにおいて誘導的に接続された発電機（１２０）から供給されたＤＣ電力をＡＣ電力に変換するための方法であって、
前記方法が、
前記ブリッジ（１６０）における少なくとも２つのスイッチ構成間で前記ブリッジ（１６０）におけるクロック制御のスイッチングを行うことを含み、
少なくとも第１のスイッチ構成において、前記発電機端子（１５０、１５５）が相互接続され、前記中間回路が前記電力網（７４０）に電力を送り、
少なくとも第２のスイッチ構成において、前記発電機の電力が前記電力網（７４０）に送られ、前記発電機（１２０）によって提供される電力と前記電力網（７４０）の中を流れる電力との差分が前記中間回路によって埋め合わせられる
方法。
【請求項１７】
前記ブリッジ（１６０）における４つのスイッチ構成を備え、
前記第１の構成において、前記正の発電機端子（１５０）と前記負の発電機端子（１５５）とが相互接続されるとともに前記正の中間回路接続部（１７０）と前記相端子（１８０）とに接続され、
前記第２の構成において、前記正の発電機端子（１５０）が前記相端子（１８０）と前記正の中間回路接続部（１７０）とに接続されるとともに、前記負の発電機端子（１５５）からは切り離され、
第３の構成において、前記負の発電機端子（１５５）が、前記相端子（１８０）と前記負の中間回路接続部（１７５）とに接続されるとともに、前記正の発電機端子（１５０）からは切り離され、
第４の構成において、前記正の発電機端子（１５０）と前記負の発電機端子（１５５）とが相互接続されるとともに前記負の中間回路接続部（１７５）と前記相端子（１８０）とに接続される
請求項１６に記載の方法。
【請求項１８】
前記電力網が３つの相（Ｌ１、Ｌ２、Ｌ３）を備え、各相がブリッジ（１６０）と発電機（１２０）に対応しており、前記ブリッジのクロック制御のスイッチングが、正弦波デルタ変調を用いる共通の制御によって行われる
請求項１６または１７に記載の方法。
【請求項１９】
前記電力網（７４０）が３つの相（Ｌ１、Ｌ２、Ｌ３）を備え、各相がブリッジ（１６０）と発電機（１２０）に対応しており、前記ブリッジ（１６０）におけるクロック制御のスイッチングが、スペースベクトル変調を用いる共通の制御によって行われる
請求項１６または１７に記載の方法。
【請求項２０】
前記第１の構成と前記第２の構成との間におけるクロック制御のスイッチングが、対応するフリーホイールダイオードが導電状態にある状態でアクティブ化される前記ブリッジ（１６０）内のスイッチの数を最大にするように選択された間隔で行われる
請求項１６から１９のいずれか一項に記載の方法。
【手続補正４】
【補正対象書類名】図面
【補正対象項目名】図５
【補正方法】変更
【補正の内容】
【図５】
2014523225.tif 000001